(57)【要約】【課題】  端末から間違って入力されたコマンドがそのまま実回線に設定されてしまうことのない伝送システムを提供する。【解決手段】  複数のデータ伝送回線を収容して、該回線相互間の回線接続をなす回線接続部と、操作入力に応じて該回線接続部に向けてコマンドを供給する監視制御端末と、該コマンドに応じて該回線接続部を制御するホスト部と、を含む伝送装置であって、該ホスト部は、該コマンドに応じて接続状態を暫定した暫定データを保持する暫定データ保持手段と、運用データを保持する運用データ保持手段と、該運用データに応じて該回線接続部を制御する制御部と、を含み、該制御部は、該コマンドに応じて該暫定データを該運用データとして該運用データ保持手段に供給することを特徴とする。【選択図】  図２
2007274157.tif 000002
【特許請求の範囲】
【請求項１】
複数のデータ伝送回線を収容して、前記回線相互間の回線接続をなす回線接続部と、操作入力に応じて前記回線接続部に向けてコマンドを供給する監視制御端末と、前記コマンドに応じて前記回線接続部を制御するホスト部と、を含む伝送装置であって、
前記ホスト部は、前記コマンドに応じて接続状態を暫定した暫定データを保持する暫定データ保持手段と、運用データを保持する運用データ保持手段と、前記運用データに応じて前記回線接続部を制御する制御部と、を含み、
前記制御部は、前記コマンドに応じて前記暫定データを前記運用データとして前記運用データ保持手段に供給することを特徴とする伝送装置。
【請求項２】
前記ホスト部は、前記コマンドに応じて、冗長接続設定データを保持する冗長接続設定データ保持手段を更に有することを特徴とする請求項１記載の伝送装置。
【請求項３】
前記制御部は、前記コマンドに応じて、前記運用データ保持手段をして前記運用データを前記暫定データとして前記暫定データ保持手段に供給せしめることを特徴とする請求項１記載の装置。
【請求項４】
前記制御部は、前記コマンドに応じて、前記運用データ保持手段をして前記運用データを前記冗長接続設定データとして前記冗長接続設定データ保持手段に供給せしめることを特徴とする請求項２記載の装置。
【請求項５】
前記制御部は、前記コマンドに応じて、前記冗長接続設定データ保持手段をして前記冗長接続設定データに基づき前記暫定データのうちの非選択系を削除して前記暫定データのうちの選択系を前記暫定データのうちの非選択系として前記暫定データ保持手段に供給せしめることを特徴とする請求項２記載の装置。
【請求項６】
前記制御部は、前記コマンドに応じて、前記冗長接続設定データの更新を行うことを特徴とする請求項２記載の装置。
【発明の詳細な説明】
【技術分野】
【０００１】
この発明は伝送装置に関し、特に、回線接続を行う伝送装置に関する。
【背景技術】
【０００２】
高速デジタル通信網では、例えばＡＴＭ（Asynchronous Transfer Mode、非同期転送モード）伝送装置やＳＴＭ（Synchronous Transfer Mode、同期転送モード）伝送装置といった各種の伝送装置が用いられて、速度変換を行うとともに、多重化されたユーザ情報信号をそこに含まれる宛先情報の宛先番号に従って振り分けて出力している。このような伝送装置においては、通信の高速化及び多様化に対応するため、必要に応じて回線が選択、変更または削除される必要がある。
【０００３】
図１は、一般的な伝送装置の構成を示すブロック図である。図１の伝送装置は、伝送装置本体１０と伝送装置本体１０に監視制御線２０により接続された監視制御端末３０とからなる。伝送装置本体１０は、情報伝送用の伝送路である複数のデータ伝送回線の収容部１１、クロック等を含む回線冗長部１２及び回線相互間の回線接続をなす回線接続部１３、並びに監視制御端末３０からのコマンド形式等による要求を受容して回線接続部を制御するファームウェアからなるホスト部１４を含む。監視制御線２０は、ＬＡＮやＲＳ２３２Ｃ等である。監視制御端末３０には、コマンド入力用のキーボード等の入力装置及びモニタ用のディスプレイ等が設けられている（図示せず）。監視制御端末３０において編集された回線接続設定等の情報がコマンド投入されると伝送装置本体１０において実回線の接続や削除が行われる。
【０００４】
かかる伝送装置では、例えば回線接続設定コマンドが監視制御端末３０から入力されると、伝送装置本体１０のホスト部１４において、まず、コマンドにより指定されたソフトウェアストラップ（コンフィグ）が揮発性メモリにロードされ、次に不揮発性メモリにバックアップメモリとして格納され、さらに、ハードウェアに設定されることにより、物理的な接続や切替が行なわれる。これらの処理は監視制御端末からの１回の指令で行なわれるため、監視制御端末３０のオペレータがパラメータ等の入力ミスを犯すと、そのまま誤った接続や誤った接続解除を生じた。また、上記の処理は常に実回線上での実処理を目的とするため、例えば回線の収容位置の変更といった回線接続に関する情報の設定、変更、削除のみを行うことはできなかった。
【特許文献１】特許公開２００４−８０４７１
【発明の開示】
【発明が解決しようとする課題】
【０００５】
従って、監視制御端末からのコマンド投入に当たっては、コマンドパラメータの妥当性確認機能を有する端末の場合は事前に該コマンドパラメータの妥当性確認作業を行って、誤接続や誤接続解除を発生させないようにする必要があった。また、かかる機能を有していない端末においては、例えば接続のためのコマンドパラメータを誤って投入した場合には、誤って接続された回線を接続解除した後に最初からコマンドパラメータを設定してやり直さなければならないという問題があった。
【０００６】
この発明は、以上のような問題点を解決するためになされたもので、伝送装置本体内で回線を導通することなく回線情報を編集することを可能とし、さらに、誤って回線接続を切断してしまっても、暫定データ領域のデータを用いて容易にかつ即座に回線を再接続することを可能にすることを目的とする。
【課題を解決するための手段】
【０００７】
このような目的を達成するために、本発明による伝送装置は、複数のデータ伝送回線を収容して、該回線相互間の回線接続をなす回線接続部と、操作入力に応じて該回線接続部に向けてコマンドを供給する監視制御端末と、該コマンドに応じて該回線接続部を制御するホスト部と、を含み、該ホスト部は、該コマンドに応じて接続状態を暫定した暫定データを保持する暫定データ保持手段と、運用データを保持する運用データ保持手段と、該運用データに応じて該回線接続部を制御する制御部と、を含み、該制御部は、該コマンドに応じて該暫定データを該運用データとして該運用データ保持手段に供給することを特徴とする。
【発明の効果】
【０００８】
本発明は、ハードウェアに設定されている運用中のデータとは別に、回線データの編集が可能となる。言い換えると、実回線の接続等を行わずに回線接続情報のみを設定することが可能となる。さらに、運用中の回線の接続変更を行う場合においても、ほとんど切断時間を無くし、作業に要する手間も軽減することができる。
【発明の実施の形態】
【０００９】
次に、本発明の実施例について図を参照して説明する。
【００１０】
図２に示した本発明の伝送装置の構成については、従来例で説明した図１とほぼ同じであるが、ホスト部１４に制御部１０１及び後述の各データ領域１０２〜１０４が設けられる点が異なる。各データ領域に対するデータの書込み読出し制御は制御部により制御される。
【００１１】
表１に、本発明で実施するコマンドの一覧を示す。これらのコマンドにより、伝送装置本体において回線の接続情報を編集及び回線の接続／解除等を行うことが可能となる。
【００１２】
【表１】
2007274157.tif 000003
【００１３】
上記した「暫定データ領域」は、暫定データ保持手段を構成し、伝送装置本体１０のホスト部１４において、回線接続情報及び回線設定情報を編集して保持するためのデータ領域、または回線が冗長接続されているときのハードウェアに設定されている回線接続情報及び回線設定情報で構成されるデータ領域をいう。また、「運用データ領域」は、運用データ保持手段を構成し、伝送送装置本体１０のホスト部１４において、ハードウェアに設定されている回線接続情報及び回線設定情報で構成されるデータ領域をいう。さらに「冗長データ領域」は、冗長接続設定データ保持手段を構成し、伝送装置本体１０のホスト部１４において、回線が冗長接続されているときのハードウェアに設定されている冗長選択系情報及び当該回線接続情報のストラップで構成されているデータ領域をいう。
【００１４】
図３乃至５は、各データ領域で保持されるテーブルの概念図を示す。図３の回線設定情報テーブルには、回線識別子をインデックスとする各回線接続情報に、回線設定ストラップ、回線接続識別子、前データインデックス及び次データインデックスのデータが格納される。図３に示す回線接続情報テーブルには、回線接続識別子をインデックスとする各回線接続情報に、回線接続ストラップ及び回線識別子からなるデータが格納される。図４に示す回線設定情報テーブルには、回線識別子をインデックスとする各回線接続情報に、回線設定ストラップ、回線接続識別子、前データインデックス及び次データインデックスのデータが格納される。図４に示す回線接続情報テーブルには、回線接続識別子をインデックスとする各回線接続情報に、回線接続ストラップ及び回線識別子のデータが格納される。図５に示す冗長接続情報テーブルには、回線接続識別子をインデックスとする冗長接続情報に、回線接続ストラップ及び冗長選択系のデータが格納される。
【００１５】
図６のフローチャートに従い、回線編集設定コマンドによる動作概要を説明する。
【００１６】
監視制御端末３０から回線編集設定コマンドが入力されると、伝送装置本体１０は、入力されたコマンドのオプションで指定された回線識別子、回線設定情報、回線接続識別子のパラメータの妥当性を判断する（Ｓ１）。判断の結果、妥当性が否定された場合、妥当でない内容をメッセージとして送出して（Ｓ６）監視制御端末３０のディスプレイに表示させるとともに、コマンドの実行を終了する。妥当性が認められた場合には、次に、指定された回線識別子が暫定データ領域１０２にすでに設定されているか否かを判断する（Ｓ２）。すでに設定されている場合には、既設定である旨のメッセージを送出して（Ｓ６）端末３０のディスプレイに表示させるとともに、コマンドの実行を終了する。次に、指定された回線接続識別子に対応する回線が冗長構成で回線接続されているか否かを判断する（Ｓ３）。冗長構成で回線接続されている場合には、指定された回線識別子が冗長構成の回線接続中である旨のメッセージを送出して（Ｓ６）端末３０のディスプレイに表示するとともに、コマンドの実行を終了する。冗長構成で接続されていない場合には、暫定データ領域１０２にある回線設定情報テーブルにおいて、指定された回線識別子をインデックスに持つ回線設定情報に、指定された回線設定ストラップと回線接続子を設定する。このとき、暫定データ領域１０２にある回線接続情報テーブルにおいて、指定された回線接続識別子をインデックスに持つ回線接続情報に回線識別子が設定されていない場合には、指定された回線識別子を設定する。既に回線識別子が設定されている場合には、暫定データ領域１０２にある回線設定情報テーブルにおいて、指定された回線接続識別子と同じ回線接続識別子を持つ回線設定情報を回線識別子順にリンクする。リンク方法は回線設定情報の前データインデックスと次データインデックスとを使用した双方向リンクである。暫定データ領域１０２にある回線接続情報テーブルにおいて、指定された回線接続識別子をインデックスに持つ回線接続情報に、リンクされた回線設定情報で最も小さい回線識別子を設定する（Ｓ４）。コマンドが正常に終了した旨のメッセージを送出して（Ｓ５）端末３０のディスプレイに表示させコマンドの実行を終了する。
【００１７】
図７のフローチャートに従って、回線編集削除コマンドによる動作内容を説明する。
【００１８】
監視制御端末３０から回線編集削除コマンドが入力されると、伝送装置本体１０は、入力されたコマンドのオプションで指定された回線識別子パラメータの妥当性を判断する（Ｓ１１）。判断の結果、妥当性が否定された場合、妥当でない内容をメッセージとして送出して（Ｓ１６）監視制御端末３０のディスプレイに表示させるとともに、コマンドの実行を終了する。妥当性が認められた場合には、次に、指定された回線識別子が暫定データ領域１０２にすでに設定されているか否かを判断する（Ｓ１２）。設定されていない場合、回線編集設定がなされていない旨のメッセージを送出して（Ｓ１６）端末３０のディスプレイに表示させるとともに、コマンドの実行を終了する。設定がなされていれば、次に、指定された回線接続識別子に対応する回線が冗長構成で回線接続されているか否かを判断する（Ｓ１３）。冗長構成で回線接続されている場合には、指定された回線識別子が冗長構成の回線接続中であることを端末３０のディスプレイに表示するとともに（Ｓ１６）、コマンドの実行を終了する。冗長構成で回線接続されていない場合には、暫定データ領域１０２にある回線設定情報テーブルにおいて、指定された回線識別子をインデックスに持つ回線設定情報と同じ回線接続識別子が設定されている他の回線設定情報と前データインデックスまたは次データインデックスによりリンクされておらずかつ運用データ領域１０３の回線接続情報テーブルに当該回線接続識別子をインデックスに持つ回線接続情報に設定がなされていなければ、暫定データ領域１０２の回線接続テーブルの当該回線接続情報をクリアする。リンクされている場合、当該回線設定情報をリンクからはずし、暫定データ領域１０２にある回線接続情報テーブルの指定された回線接続識別子をインデックスに持つ回線接続情報に、リンクされた回線設定情報で最も小さい回線識別子を設定する。暫定データ領域１０２にある回線設定情報テーブルにおいて、指定された回線識別子をインデックスに持つ回線設定情報をクリアする（Ｓ１４）。コマンドが正常に終了した旨のメッセージを端末３０のディスプレイに送出して（Ｓ１５）コマンドの実行を終了する。
【００１９】
図８のフローチャートに従い、回線編集データ転写コマンドによる動作内容を説明する。
【００２０】
監視制御端末３から回線編集データ転写コマンドが入力されると、伝送装置本体１０は、入力されたコマンドのオプションで指定された回線識別子パラメータの妥当性を判断する（Ｓ２１）。判断の結果、妥当性が否定された場合、妥当でない内容をメッセージとして送出して（Ｓ２７）監視制御端末３のディスプレイに表示させるとともに、コマンドの実行を終了する。妥当性が認められた場合には、次に、指定された回線接続識別子に対応する回線が冗長構成で回線接続されているか否かを判断する（Ｓ２２）。冗長構成で回線接続されている場合、指定された回線識別子が冗長構成の回線接続中であることを端末３のディスプレイに表示するとともに（Ｓ２７）、コマンドの実行を終了させる。次に、運用データ領域１０３にある回線設定情報テーブルにおいて、指定された回線識別子をインデックスに持つ回線設定情報が設定されているか否かを判断する（Ｓ２３）。設定されている場合には、暫定データ領域１０２にある回線設定情報テーブルにおいて、指定された回線識別子をインデックスに持つ回線設定情報を、同じ回線接続識別子が設定されている他の回線設定情報とのリンクからはずし、暫定データ領域１０２の当該回線設定情報をクリアする。当該回線設定情報をリンクからはずした結果、暫定データ領域１０２に同じ回線接続識別子をもつ回線設定情報が存在しなければ、暫定データ領域１０２の当該回線接続情報をクリアする。次に、運用データ領域１０３にある回線設定情報テーブルにおいて、指定された回線識別子をインデックスに持つ回線設定情報を、暫定データ領域１０２の当該回線識別子をインデックスに持つ回線設定情報に転写する。暫定データ領域１０２において当該回線接続識別子が既に回線接続情報テーブルに設定されている場合には、暫定データ領域１０２にある回線設定情報テーブルにおいて、同じ回線接続識別子を持つ他の回線設定情報と回線識別子順にリンクさせる。リンク方法は、回線設定情報の前データインデックスと次データインデックスとを用いた双方向リンクである。暫定データ領域１０２にある回線接続情報テーブルにおいて、当該回線接続情報の回線接続情報に、リンクされた回線設定情報で最も小さい回線識別子を設定する（Ｓ２４）。運用データ領域１０３にある回線設定情報テーブルにおいて、指定された回線識別子をインデックスに持つ回線設定情報に設定がなされていない場合には、暫定データ領域１０２にある回線設定情報テーブルにおいて、指定された回線識別子をインデックスに持つ回線設定情報を、同じ回線接続識別子が設定されている他の回線設定情報とのリンクからはずし、暫定データ領域１０２の当該回線設定情報をクリアする。当該回線設定情報をリンクからはずした結果、暫定データ領域１０２に同じ回線接続識別子をもつ回線設定情報が存在しなければ、暫定データ領域１０２の当該回線接続情報をクリアする（Ｓ２５）。コマンドが正常に終了した旨のメッセージを端末３のディスプレイに送出して（Ｓ２６）コマンドの実行を終了する。
【００２１】
図９のフローチャートに従い、回線接続データ転写コマンドによる動作内容を説明する。
【００２２】
監視制御端末３から回線接続データ転写コマンドが入力されると、伝送装置本体１０は、入力されたコマンドのオプションで指定された回線識別子パラメータの妥当性を判断する（Ｓ３１）。判断の結果、妥当性が否定された場合、妥当でない内容をメッセージとして送出して（Ｓ３７）監視制御端末３のディスプレイに表示させるとともに、コマンドの実行を終了する。妥当性が認められた場合には、次に、指定された回線接続識別子に対応する回線が冗長構成で回線接続されているか否かを判断する（Ｓ３２）。冗長構成で回線接続されている場合、指定された回線識別子が冗長構成の回線接続中であることを端末３のディスプレイに表示するとともに（Ｓ３７）、コマンドの実行を終了させる。冗長構成で回線接続されていない場合には、次に運用データ領域１０３にある回線設定情報テーブルにおいて、指定された回線識別子をインデックスに持つ回線設定情報が設定されているか否かを判断する（Ｓ３３）。設定されている場合には、暫定データ領域１０２にある回線設定情報テーブルにおいて、指定された回線識別子をインデックスに持つ回線設定情報を、暫定データ領域１０２にある回線接続情報テーブルにおいて、指定された回線接続識別子をインデックスに持つ回線接続情報にリンクされている全ての回線設定情報と当該接続情報とをクリアする。次に運用データ領域１０３の指定された回線接続情報及びリンクされている回線設定情報を暫定データ領域１０２に転写する（Ｓ３４）。設定がなされていない場合には、暫定データ領域１０２にある回線接続情報テーブルにおいて、指定された回線接続識別子をインデックスに持つ回線接続情報にリンクされている全ての回線設定情報と当該回線接続情報とをクリアする（Ｓ３５）。コマンドが正常に終了した旨のメッセージを端末３のディスプレイに送出して（Ｓ２６）コマンドの実行を終了する。
【００２３】
図１０のフローチャートに従い、回線接続設定コマンドによる動作内容を説明する。
【００２４】
監視制御端末３から回線接続設定コマンドが入力されると、伝送装置本体１０は、入力されたコマンドのオプションで指定された回線識別子及び回線接続情報のパラメータの妥当性を判断する（Ｓ４１）。判断の結果、妥当性が否定された場合には、妥当でない内容をメッセージとして送出して（Ｓ４６）監視制御端末３のディスプレイに表示させるとともに、コマンドの実行を終了する。妥当性が認められた場合には、次に、指定された回線接続識別子が運用データ領域１０３に設定されておらずかつ暫定データ領域１０２に設定されているか否かを判断する（Ｓ４２）。運用データ領域１０３に設定されているかまたは暫定データ領域１０２に設定されていない場合には、回線接続を実施できない旨のメッセージを送出して（Ｓ４６）端末３のディスプレイに表示させるとともに、コマンドの実行を終了する。指定された回線接続識別子が運用データ領域１０３に設定されておらずかつ暫定データ領域１０２に設定されている場合には、暫定データ領域１０２にある回線接続情報テーブルにおいて、指定された回線接続識別子をインデックスに持つ回線接続情報に指定された回線接続情報を設定した後、当該回線接続情報及び回線接続情報にリンクされている回線設定情報でハードウェアに回線の接続を設定する（Ｓ４３）。次に、暫定データ領域１０２にある回線接続情報テーブルにおいて、指定された回線接続識別子をインデックスに持つ回線接続情報及び回線接続情報にリンクされている回線設定情報を、運用データ領域１０３に転写する（Ｓ４４）。コマンドが正常に終了した旨のメッセージを端末３のディスプレイに送出して（Ｓ４５）コマンドの実行を終了する。
【００２５】
図１１のフローチャートに従い、回線接続解除コマンドによる動作内容を説明する。
監視制御端末３から回線接続解除コマンドが入力されると、伝送装置本体１０は、入力されたコマンドのオプションで指定された回線識別子及び回線接続情報のパラメータの妥当性を判断する（Ｓ５１）。判断の結果、妥当性が否定された場合、妥当でない内容をメッセージとして送出して（Ｓ５６）監視制御端末３のディスプレイに表示させるとともに、コマンドの実行を終了する。妥当性が認められた場合には、次に、指定された回線接続識別子が運用データ領域１０３に設定済みでありかつ回線が非冗長接続中であるか否かを判断する（Ｓ５２）。指定された回線接続識別子が運用データ領域１０３に設定されていないか、または回線が冗長接続中の場合には、回線接続解除を実施できない旨のメッセージを送出して（Ｓ５６）端末３のディスプレイに表示させるとともに、コマンドの実行を終了する。指定された回線接続識別子が運用データに設定済みでありかつ非冗長接続中である場合には、運用データ領域１０３にある回線接続情報テーブルにおいて、指定された回線接続識別子をインデックスに持つ回線接続情報に、指定された回線接続情報及び回線接続情報にリンクされている回線設定情報で、ハードウェアに設定されている回線の接続解除設定をする（Ｓ５３）。さらに、運用データ領域１０３にある回線接続情報テーブルにおいて、指定された回線接続識別子をインデックスに持つ回線接続情報及び回線接続情報にリンクされている回線設定情報を暫定データ領域１０２に転写する。運用データ領域１０３にある回線接続情報テーブルにおいて、指定された回線接続識別子をインデックスに持つ回線接続情報及び回線接続情報にリンクされている回線設定情報をクリアする（Ｓ５４）。コマンドが正常に終了した旨のメッセージを端末３のディスプレイに送出して（Ｓ５５）コマンドの実行を終了する。
【００２６】
図１２のフローチャートに従い、回線冗長設定コマンドによる動作内容を説明する。
【００２７】
監視制御端末３から回線冗長設定コマンドが入力されると、伝送装置本体１０は、入力されたコマンドのオプションで指定された回線識別子パラメータの妥当性を判断する（Ｓ６１）。判断の結果、妥当性が否定された場合、妥当でない内容をメッセージとして送出して（Ｓ６７）監視制御端末３のディスプレイに表示させるとともに、コマンドの実行を終了する。妥当性が認められた場合には、次に、指定された回線接続識別子が運用データ領域１０３に設定されているか否かを判断する（Ｓ６２）。設定されていない場合には、回線接続を実施できない旨のメッセージを送出して（Ｓ６７）端末３のディスプレイに表示させるとともに、コマンドの実行を終了する。設定されている場合には、次に、指定された回線接続識別子が冗長接続中であるか否かを判断する（Ｓ６３）。冗長接続中の場合には、既に回線が冗長されている旨のメッセージを送出して（Ｓ６７）端末３のディスプレイに表示させるとともに、コマンドの実行を終了する。冗長接続中でない場合には、暫定データ領域１０２にある回線接続情報テーブルにおいて、指定された回線接続識別子をインデックスに持つ回線接続情報及び回線接続情報にリンクされている回線設定情報でハードウェアに回線の冗長接続を設定する（Ｓ６４）。次に、冗長データ領域１０４にある冗長接続情報テーブルにおいて、指定された回線接続識別子をインデックスに持つ冗長接続情報に、運用データ領域１０３の当該回線接続識別子をインデックスに持つ回線接続情報の回線接続ストラップを転写する。また、当該冗長接続情報の冗長選択系に運用データ領域１０３選択中を設定する（Ｓ６５）。コマンドが正常に終了した旨のメッセージを端末３のディスプレイに送出して（Ｓ６６）コマンドの実行を終了する。
【００２８】
図１３のフローチャートに従い、回線冗長解除コマンドによる動作内容を説明する。
【００２９】
監視制御端末３から回線冗長解除コマンドが入力されると、伝送装置本体１０は、入力されたコマンドのオプションで指定された回線識別子パラメータの妥当性を判断する（Ｓ７１）。判断の結果、妥当性が否定された場合、妥当でない内容をメッセージとして送出して（Ｓ７７）監視制御端末３のディスプレイに表示させるとともに、コマンドの実行を終了する。妥当性が認められた場合には、次に、指定された回線接続識別子が冗長データ領域１０４に設定されているか否かを判断する（Ｓ７２）。設定されていない場合には、回線が冗長されていない旨のメッセージを送出して（Ｓ７７）端末３のディスプレイに表示させるとともに、コマンドの実行を終了する。設定されている場合には、非選択系運用データ領域１０３にある回線接続情報テーブルにおいて、指定された回線接続識別子をインデックスに持つ回線接続情報及び回線接続情報にリンクされている回線設定情報で、ハードウェアに回線の接続解除設定をする（Ｓ７３）。次に、冗長データ領域１０４にある冗長接続情報テーブルにおいて、指定された回線接続識別子をインデックスに持つ冗長接続情報の冗長選択系により、非選択系運用データ領域１０３の当該回線接続情報及び回線接続情報にリンクされている全ての回線接続情報をクリアし、選択系運用データ領域１０３の当該回線接続情報及び回線接続情報にリンクされている全ての回線設定情報を非選択系暫定データ領域１０２に転写する（Ｓ７４）。次に、冗長データ領域１０４にある冗長接続情報テーブルにおいて、指定された回線接続識別子をインデックスに持つ冗長接続情報をクリアする（Ｓ７５）。コマンドが正常に終了した旨のメッセージを端末３のディスプレイに送出して（Ｓ７６）コマンドの実行を終了する。
【００３０】
図１４のフローチャートに従い、回線冗長選択切替コマンドによる動作内容を説明する。
【００３１】
監視制御端末３から回線冗長選択切替コマンドが入力されると、伝送装置本体１０は、入力されたコマンドのオプションで指定された回線識別子パラメータの妥当性を判断する（Ｓ８１）。判断の結果、妥当性が否定された場合、妥当でない内容をメッセージとして送出して（Ｓ８６）監視制御端末３のディスプレイに表示させるとともに、コマンドの実行を終了する。妥当性が認められた場合には、次に、指定された回線接続識別子が冗長データ領域１０４に設定されているか否かを判断する（Ｓ８２）。設定されていない場合には、回線の冗長選択切替を実施できない旨のメッセージを送出して（Ｓ８６）端末３のディスプレイに表示させるとともに、コマンドの実行を終了する。設定されている場合には、冗長データ領域１０４にある冗長接続情報テーブルにおいて指定された冗長非選択系が選択系となるようにハードウェアに切替設定を行う（Ｓ８３）。次に、冗長データ領域１０４にある冗長接続情報テーブルにおいて、指定された回線接続識別子をインデックスに持つ冗長接続情報の冗長選択系を、選択切替後の設定で更新する（Ｓ８４）。コマンドが正常に終了した旨のメッセージを端末３のディスプレイに送出して（Ｓ８５）コマンドの実行を終了する。
【図面の簡単な説明】
【００３２】
【図１】従来の伝送システムの構成を示す概略図である。
【図２】本発明の伝送システムの構成を示す概略図である。
【図３】暫定データ領域で保持されるテーブルの概念図を示す。
【図４】運用データ領域で保持されるテーブルの概念図を示す。
【図５】冗長データ領域で保持されるテーブルの概念図を示す。
【図６】回線編集設定コマンドによる動作概要を説明するフローチャートである。
【図７】回線編集削除コマンドによる動作概要を説明するフローチャートである。
【図８】回線編集データ転写コマンドによる動作概要を説明するフローチャートである。
【図９】回線接続データ転写コマンドによる動作概要を説明するフローチャートである。
【図１０】回線接続設定コマンドによる動作概要を説明するフローチャートである。
【図１１】回線接続解除コマンドによる動作概要を説明するフローチャートである。
【図１２】回線冗長設定コマンドによる動作概要を説明するフローチャートである。
【図１３】回線冗長解除コマンドによる動作概要を説明するフローチャートである。
【図１４】回線冗長選択切替コマンドによる動作概要を説明するフローチャートである。
【図１】
2007274157.tif 000004
【図２】
2007274157.tif 000005
【図３】
2007274157.tif 000006
【図４】
2007274157.tif 000007
【図５】
2007274157.tif 000008
【図６】
2007274157.tif 000009
【図７】
2007274157.tif 000010
【図８】
2007274157.tif 000011
【図９】
2007274157.tif 000012
【図１０】
2007274157.tif 000013
【図１１】
2007274157.tif 000014
【図１２】
2007274157.tif 000015
【図１３】
2007274157.tif 000016
【図１４】
2007274157.tif 000017